Podtech/llm-jp-corpus-v4-ja_patent huggingface dataset:
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
鳥類の卵（Ｅｇｇ）由来の幹細胞条件培地（ｃｏｎｄｉｔｉｏｎｅｄ  ｍｅｄｉｕｍ）を有効成分として含む、細胞増殖用の培地組成物。
【請求項２】
前記鳥類は、ニワトリ、スズメ、ハト、シチメンチョウ、カモ、ガン、ウズラ、キジ、オウム、フィンチ（ｆｉｎｃｈｅｓ）、カササギ、タカ及びカラスからなる群より選ばれるいずれか１種であることを特徴とする、請求項１に記載の細胞増殖用の培地組成物。
【請求項３】
前記鳥類は、ニワトリであることを特徴とする、請求項１に記載の細胞増殖用の培地組成物。
【請求項４】
前記卵由来の幹細胞は、卵細胞から抽出した多能性幹細胞（ｐｌｕｒｉｐｏｔｅｎｔ  ｓｔｅｍ  ｃｅｌｌｓ；ＰＳＣｓ）または神経幹細胞であることを特徴とする、請求項１に記載の細胞増殖用の培地組成物。
【請求項５】
前記細胞増殖用は、ヒト幹細胞、体細胞及び皮膚細胞からなる群より選ばれるいずれか１種の細胞増殖用であることを特徴とする、請求項１に記載の細胞増殖用の培地組成物。
【請求項６】
前記ヒト幹細胞は、胚性幹細胞または成体幹細胞であることを特徴とする、請求項５に記載の細胞増殖用の培地組成物。
【請求項７】
前記成体幹細胞は、骨髄由来、臍帯血由来、脂肪由来、血液由来、肝臓由来、皮膚由来、胃腸管由来、胎盤由来、神経由来、副腎由来、上皮由来及び子宮由来の幹細胞からなる群より選ばれるいずれか１種であることを特徴とする、請求項６に記載の細胞増殖用の培地組成物。
【請求項８】
鳥類の卵（Ｅｇｇ）由来の細胞条件培地を有効成分として含む、創傷治療用の薬学的組成物。
【請求項９】
前記鳥類の卵由来の細胞は、多能性幹細胞、神経幹細胞及び線維芽細胞からなる群より選ばれるいずれか１種であることを特徴とする、請求項８に記載の創傷治療用の薬学的組成物。
【請求項１０】
鳥類の卵（ｅｇｇ）由来の細胞条件培地を有効成分として含有する、肌の再生またはシワ改善用の化粧料組成物。
【請求項１１】
前記鳥類の卵（ｅｇｇ）由来条件培地は、コラーゲン遺伝子の発現を増加させ、ヒアルロン酸の生成を増加させることを特徴とする、請求項１０に記載の肌の再生またはシワ改善用の化粧料組成物。
【請求項１２】
前記鳥類の卵（ｅｇｇ）由来条件培地は、エラスチン遺伝子の発現を増加させることを特徴とする、請求項１０に記載の肌の再生またはシワ改善用の化粧料組成物。
【請求項１３】
前記組成物は、化粧水、皮膚軟化剤、スキントナー、アストリンジェント、ローション、乳液、モイスチャーローション、栄養ローション、マッサージクリーム、栄養クリーム、モイスチャークリーム、ハンドクリーム、ファンデーション、エッセンス、栄養エッセンス、パック、石鹸、クレンジングフォーム、クレンジングローション、クレンジングクリーム、ボディローション、ボディクレンザー、洗顔剤、トリートメント、美容液、美容パック、軟膏剤、ゲル剤、塗布剤、液剤、パッチ及び噴霧剤からなる群より選ばれるいずれか１種に剤形化されることを特徴とする、請求項１０に記載の肌の再生またはシワ改善用の化粧料組成物。
【請求項１４】
鳥類の卵（Ｅｇｇ）由来の幹細胞条件培地を細胞と培養するステップを含む、細胞の増殖方法。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
呼吸補助装置であって、
ハウジングと、
ディスプレイと、
１つ以上のプロセッサであって、
第１の複数のパラメータ表示要素を含むパラメータ表示部分を含み、各パラメータ表示要素は、当該呼吸補助装置のパラメータに関連するパラメータ値を表示するように構成されており、前記第１の複数のパラメータ表示要素は、前記パラメータ表示部分を実質的に満たすように第１の構成で配置される、グラフィカルユーザインタフェースを前記ディスプレイ上に生成し、
追加的パラメータ表示要素を前記パラメータ表示部分内に含めるための入力を受信し、前記追加的パラメータ表示要素は、追加的なパラメータに関連し、
前記追加的なパラメータに関連する前記追加的パラメータ表示要素を含むように前記パラメータ表示部分を修正し、前記パラメータ表示部分の修正は、
前記パラメータ表示部分内に前記追加的パラメータ表示要素を生成することと、
前記第１の複数のパラメータ表示要素のうちの１つ以上の形状を修正することと、
前記第１の複数のパラメータ表示要素及び前記追加的パラメータ表示要素を前記パラメータ表示部分内で位置決めし、第２の複数のパラメータ表示要素を形成することであって、前記第２の複数のパラメータ表示要素は、前記パラメータ表示部分内に第２の構成で配置される、ことと、
を含むようなコンピュータ可読命令で構成された１つ以上のプロセッサと、
を含む、呼吸補助装置。
【請求項２】
前記入力は、周辺デバイスが当該呼吸補助装置に追加されたことの表示である、請求項１に記載の呼吸補助装置。
【請求項３】
前記表示は、前記周辺デバイスが当該呼吸補助装置によって検出された後に自動的に生成される、請求項２に記載の呼吸補助装置。
【請求項４】
前記追加的なパラメータは、前記周辺デバイスによって測定された患者パラメータである、請求項２又は３に記載の呼吸補助装置。
【請求項５】
前記周辺デバイスは、パルスオキシメータ、ＣＯ２センサ、又は圧力センサのうちの少なくとも１つであり、
および／または、前記追加的なパラメータは、患者の血中酸素飽和度、脈拍数、呼吸数、灌流指数、ＣＯ２濃度、又は圧力のうちの少なくとも１つである、請求項２〜４のいずれか一項に記載の呼吸補助装置。
【請求項６】
前記第２の複数のパラメータ表示要素が前記パラメータ表示部分を実質的に満たす、請求項１〜５のいずれか一項に記載の呼吸補助装置。
【請求項７】
前記コンピュータ可読命令は更に、各パラメータに関連する優先値に基づいてパラメータ表示要素を配置するように前記プロセッサを構成する、請求項１〜６のいずれか一項に記載の呼吸補助装置。
【請求項８】
前記コンピュータ可読命令は更に、前記第２の複数のパラメータ表示要素のパラメータ表示要素のパラメータに関連する信頼値の視覚表示を表示するように前記プロセッサを構成する、請求項１〜７のいずれか一項に記載の呼吸補助装置。
【請求項９】
前記視覚表示は、前記パラメータ表示要素の表示パラメータ値の色を変化させ、
任意的に、前記信頼値が閾値を下回ると、前記パラメータ値はもはや表示されない、請求項８に記載の呼吸補助装置。
【請求項１０】
前記コンピュータ可読命令は更に、パラメータ値が前記第２の複数のパラメータ表示要素の前記パラメータ表示要素のうちの１つに関連するパラメータに関連する閾値を上回る又は下回るとき、第１の動作モードから第２の動作モードに移行し、前記第１の動作モードから前記第２の動作モードへの前記移行の視覚表示を表示するように前記プロセッサを構成する、請求項１〜９のいずれか一項に記載の呼吸補助装置。
【請求項１１】
前記コンピュータ可読命令は更に、パラメータの動作値を変更するための入力をユーザから受信するように構成された入力コントロールを含むグラフィカルユーザインタフェースを表示するように前記プロセッサを構成し、
任意的に、パラメータの動作パラメータ値が修正された後、前記パラメータの前記パラメータ表示要素は、前記パラメータが修正値に移行するまで当該呼吸補助装置が前記パラメータを調整していることを示すグラフィカル表示を提供する、請求項１〜１０のいずれか一項に記載の呼吸補助装置。
【請求項１２】
各パラメータ表示要素は、異なる色に関連付けられている、請求項１〜１１のいずれか一項に記載の呼吸補助装置。
【請求項１３】
周囲光を検知するように構成された周囲光センサを更に含み、前記コンピュータ可読命令は更に、前記周囲光センサの出力に基づいて前記ディスプレイの明るさを自動的に調整するように前記プロセッサを構成する、請求項１〜１２のいずれか一項に記載の呼吸補助装置。
【請求項１４】
前記第１の複数のパラメータ表示要素の第１のパラメータ表示要素に関して、前記パラメータ値は第１のパラメータ値であり、前記パラメータは当該呼吸補助装置の第１のパラメータであり、前記第１のパラメータ表示要素は、当該呼吸補助装置の第２のパラメータに関連する第２のパラメータ値を前記第１のパラメータの前記第１のパラメータ値と併せて表示するように構成されている、請求項１〜１３のいずれか一項に記載の呼吸補助装置。
【請求項１５】
前記第１のパラメータは一次パラメータであり、前記第２のパラメータは二次パラメータであり、前記二次パラメータは前記一次パラメータに関連し、
任意的に、前記一次パラメータ及び前記二次パラメータの両方は、第１の患者センサから受信したデータに基づいて決定される、請求項１４に記載の呼吸補助装置。
【誤訳訂正書】
【提出日】令和3年3月29日(2021.3.29)
【誤訳訂正１】
【訂正対象書類名】特許請求の範囲
【訂正対象項目名】全文
【訂正方法】変更
【訂正の内容】
【特許請求の範囲】
【請求項１】
回転軸(A)周りでそれぞれの方向を有し、かつ前記回転軸(A)から生じる電流ベクトル(i)を定義するそれぞれの相電流(iu、iv、iw)を流すように意図された相(u、v、w)を含む電気モータ(104)に電力を供給する方法であって、
-  設定点電流ベクトル(i*)を受け取るステップであって、設定点相電流(iu*,iv*,iw*)は正弦波である、ステップと、
-  前記電流ベクトル(i)を回転させるように、前記相(u、v、w)を電圧源(102)に切換え式に接続するステップ(302)
を含み、
前記相(u、v、w)を切換え式に接続する前記ステップが、1つまたは複数の前記相(u、v、w)の各々について、前記電流ベクトル(i)が少なくとも1回転する間に、
-  前記1回転の一部にわたって前記相(u、v、w)を前記電圧源(102)から切断して、前記相(u、v、w)を開回路にするステップと、
-  前記1回転の他の部分にわたって前記相(u、v、w)を前記電圧源(102)に切換え式に接続するステップと
を含み、
前記方法は、
-  前記相電流(iu、iv、iw)を測定するステップと、
-  前記相電流(iu、iv、iw)のそれぞれの消滅を検出するステップ(902)と、
-  前記それぞれの相電流(iu、iv、またはiw)が消滅していた前記相を切断すべきと判定し(904、318、320)、前記相電流(iu、iv、iw)のいずれも消滅していなかった場合、前記それぞれの相電流が消滅した最後の相を切断すべきと判定するステップ(904、318、320)と、
-  その他の相すなわち消滅していると判定されない相を前記電圧源(102)に切換え式に接続するステップ(320)と
を含む、ことを特徴とする、方法。
【請求項２】
前記1回転の一部にわたって切断する前記ステップと、前記1回転の他の部分にわたって接続する前記ステップとが、前記電気モータ(104)のすべての前記相(u、v、w)に適用される、請求項1に記載の方法。
【請求項３】
前記相(u、v、w)の方向に対する垂線(Pu、Pv、Pw)が、前記1回転の前記一部を通り、前記1回転の前記一部にわたって前記相(u、v、w)が前記電圧源(102)から切断される、請求項1または2に記載の方法。
【請求項４】
前記1回転の前記一部が、2つの別個の下位部分を含み、前記1回転の前記一部にわたって前記相(u、v、w)が前記電圧源(102)から切断され、切断可能な相(u、v、w)の方向に対する前記垂線(Pu、Pv、Pw)が、前記下位部分の各々を通る、請求項3に記載の方法。
【請求項５】
一時に1つの相だけが切断されて、開回路になる、請求項1から4のいずれか一項に記載の方法。
【請求項６】
コンピュータによって実行されると、請求項1から5のいずれか一項に記載の方法を実施するように、前記コンピュータによって、電気モータ(104)を電圧源(102)に接続するインバータを制御させる命令行を含む、コンピュータプログラム。
【請求項７】
電気モータ(104)を電圧源(102)に接続するインバータ(106)の制御デバイス(110)であって、前記電気モータ(104)が、前記電気モータ(104)の回転軸(A)周りでそれぞれの方向を有し、かつ前記回転軸(A)から生じる電流ベクトル(i)を定義するそれぞれの相電流(iu、iv、iw)を流すように構成された相(u、v、w)を含み、前記制御デバイス(110)が、設定点電流ベクトル(i*)を受け取るように構成され、設定点相電流(iu*,iv*,iw*)は正弦波であり、前記制御デバイス(110)は更に、前記インバータ(106)によって前記相(u、v、w)を前記電圧源(102)に切換え式に接続し、それによって前記電流ベクトル(i)を回転させるように、前記インバータ(106)を制御するように構成され、
前記制御デバイス(110)が、1つまたは複数の相(u、v、w)の各々について、前記電流ベクトル(i)が少なくとも1回転する間に、
-  前記1回転の一部にわたって、前記インバータ(106)によって前記相(u、v、w)を前記電圧源(102)から切断して、前記相(u、v、w)を開回路にするように前記インバータ(106)を制御し、かつ
-  前記1回転の他の部分にわたって、前記インバータ(106)によって前記相(u、v、w)を前記電圧源(102)に切換え式に接続させるように前記インバータ(106)を制御するようにさらに構成され、
前記制御デバイス(110)が、
-  前記相電流(iu、iv、iw)を測定し、
-  前記相電流(iu、iv、iw)のそれぞれの消滅を検出し(902)、
-  前記それぞれの相電流(iu、iv、またはiw)が消滅していた前記相を切断すべきと判定し(904、318、320)、前記相電流(iu、iv、iw)のいずれも消滅していなかった場合、前記それぞれの相電流が消滅した最後の相を切断すべきと判定し(904、318、320)、
-  その他の相すなわち消滅していると判定されない相を前記電圧源(102)に切換え式に接続する(320)ように構成される、ことを特徴とする、制御デバイス(110)。
【請求項８】
-  回転軸(A)周りでそれぞれの方向を有し、かつ前記回転軸(A)から生じる電流ベクトル(i)を定義するそれぞれの相電流(iu、iv、iw)を流すように構成された相(u、v、w)を含む電気モータ(104)と、
-  電圧源(102)と、
-  前記電圧源(102)を前記電気モータ(104)の前記相(u、v、w)に接続するように適合されたインバータ(106)と、
-  請求項7に記載の制御デバイス(110)と
を含む、回転電気機械(100)。
【誤訳訂正２】
【訂正対象書類名】明細書
【訂正対象項目名】００８０
【訂正方法】変更
【訂正の内容】
【００８０】
ステップ904で、制御デバイス110は、相電流が消滅した位相を切断すべきと判定する。いずれの相電流も消滅していなかった場合、ステップ904で、制御デバイス110は、相電流が消滅した最後の位相を切断すべき、すなわち切断されたままにすると判定する。
【誤訳訂正書】
【提出日】令和3年10月14日(2021.10.14)
【誤訳訂正１】
【訂正対象書類名】特許請求の範囲
【訂正対象項目名】全文
【訂正方法】変更
【訂正の内容】
【特許請求の範囲】
【請求項１】
非侵襲的な電気的および／または磁気的な神経刺激のためのシステムであって、該システムは、
・人工ノイズを含む、交流の刺激信号を発生させるための信号発生器、
・該刺激信号を視神経上の領域または視神経のすぐ近くの領域に適用するための適用デバイス、
・測定信号を導出するための導出ライン、
・該測定信号に基づいてバイオマーカーを計算するためのバイオマーカー計算ユニット、
・該刺激信号の変更によって該バイオマーカーの値を最適化するための確率的最適化法を実行するための、ユニットを含むシステム。
【請求項２】
前記刺激信号が、プログラム可能な関数発生器によって発生されることを特徴とする、前述の請求項の１項に記載のシステム。
【請求項３】
前記バイオマーカーの関数従属性が、トレーニングデータからの機械学習によって測定されることを特徴とする、前述の請求項の１項に記載のシステム。
【請求項４】
前記刺激信号が、人工ノイズ、交流信号、および直流信号を有することを特徴とする、前述の請求項の１項に記載のシステム。
【誤訳訂正２】
【訂正対象書類名】明細書
【訂正対象項目名】００４２
【訂正方法】変更
【訂正の内容】
【００４２】
本発明のさらなる実施形態において、バイオマーカーの関数従属性は、トレーニングデータからの機械学習によって測定され、特に、バイオマーカーは、測定信号の振幅、周波数、位相および／もしくは位置情報の項目の関数またはそれらの機能イメージであることが提供される。重み付けパラメータもまた、トレーニングデータからの機械学習によって測定され得る。そのような学習方法の１つの実施形態は、バイオマーカーを測定するための測定データが、特定の基準に基づいてセグメント化されるというものである。これは、治療の試みを評価するために、経時的な基準（例えば、治療の試みの前後の時点）と定性的な基準の両方に基づいて（したがって、例えば、定量化できる特徴、例えば、視野のサイズ、視力、色および視野の輪郭に基づいて）行われ得る。測定信号の特徴的な特徴の傾向および相関関係は、セグメント内で確かめられ得る。見出された特徴の有意性および分散が、例えば、特徴パラメータを重み付けするために、使用され得る。
【誤訳訂正３】
【訂正対象書類名】明細書
【訂正対象項目名】００５９
【訂正方法】変更
【訂正の内容】
【００５９】
本発明のさらなる実施形態において、測定信号に対するバイオマーカーの関数従属性は、試験被験体からのトレーニングデータを使用して機械学習によって、特に、データベースによってさらに支援されるサポートベクターマシンを用いた教師付きクラスタリングによって測定されることが提供される。ゆえに、その方法は、全患者および新たに加えられた各患者のデータプールから「学習」できる。
【手続補正書】
【提出日】令和3年3月26日(2021.3.26)
【手続補正１】
【補正対象書類名】明細書
【補正対象項目名】０１９７
【補正方法】変更
【補正の内容】
【０１９７】
工程４（化合物Ｂ−１３の合成）
２５℃で化合物Ｂ−１３−１（５０．００ｍｇ，７８．０２μｍｏｌ，１．００ｅｑ）、Ｐｄ／Ｃ（５．００ｍｇ，７．８０μｍｏｌ，１０％純度）をテトラヒドロフラン／メタノール（６ｍＬ／８ｍＬ）に溶解させ、水素ガスで混合物を３回置換し、水素ガス雰囲気下、２５℃で２０時間攪拌した。ＬＣ−ＭＳによって反応の完了を示した後、５０℃で反応液を減圧下で濃縮し、粗生成物をシリカゲルカラムクロマトグラフィー（充填材：１００〜２００メッシュのシリカゲル粉末、移動相は石油エーテル／酢酸エチル＝５／１，１／１）により精製して粗生成物を得た。粗生成物を中性Ｐｒｅ−ＨＰＬＣ装置（移動相：水／アセトニトリル）に供し、Ｂ−１３を得た。
特性データ：ＬＣＭＳ  ｍ／ｚ：３７２．０［Ｍ＋Ｈ］。
１Ｈ  ＮＭＲ（４００ＭＨｚ，ＤＭＳＯ−ｄ６）：δ１０．５２（ｂｒｓ，１Ｈ），８．４９（ｓ，１Ｈ），８．０３（ｂｒｓ，２Ｈ），７．４３（ｄ，Ｊ＝２．０Ｈｚ，１Ｈ），７．３６−７．２４（ｍ，６Ｈ），６．８９（ｄ，Ｊ＝８．４Ｈｚ，１Ｈ）
【手続補正２】
【補正対象書類名】明細書
【補正対象項目名】０２２８
【補正方法】変更
【補正の内容】
【０２２８】
工程３（化合物Ｂ−３３−１およびＢ−３３−１ａの合成）
実施例Ｂ−３３−１およびＢ−３３−１ａ：
本実施例の化合物の調製は、工程８においてホウ酸２ａｃおよび２ａｃ−ａを原料２ａの代わりに出発原料として使用した以外、前記の実施例Ａ−１の調製における合成経路２の工程８を参照して同様の方法によって実施し、化合物Ｂ−３３−１およびＢ−３３−１ａを得た。
特性データ：ＬＣＭＳ  ｍ／ｚ：４１３．１［Ｍ＋Ｈ］。
【手続補正３】
【補正対象書類名】明細書
【補正対象項目名】０２６９
【補正方法】変更
【補正の内容】
【０２６９】
工程３（化合物Ｃ−６８の合成）
化合物Ｃ−６８−２（０．３ｇ，６７６．８７μｍｏｌ，１ｅｑ）に１，４−ジオキサン（２０ｍＬ）および水（５ｍＬ）を加え、さらに２ａ（１９４．３２ｍｇ，６７６．８７μｍｏｌ，１ｅｑ）、リン酸カリウム（２８７．３５ｍｇ，１．３５ｍｍｏｌ，２ｅｑ）、１，１’−ビス（ジ−ｔｅｒｔ−ブチルホスフィノ）フェロセンパラジウムジクロリド（８８．２３ｍｇ，１３５．３７μｍｏｌ，０．２ｅｑ）を添加し、この混合物を窒素ガスで３回置換し、窒素雰囲気下、１００℃で８時間攪拌した。ＬＣＭＳによって目的の化合物のＭＳピークの出現を示した。減圧下で溶媒を濃縮して回転乾燥し、残渣をシリカゲルカラム（シリカゲル、溶離液：石油エーテル／酢酸エチル＝３：１〜１：１）により精製し、さらに、カラム：Ｐｈｅｎｏｍｅｎｅｘ  Ｇｅｍｉｎｉ  １５０＊２５ｍｍ＊１０ｕｍ；移動相：（［Ａ：純水（１０ｍＭ  ＮＨ４ＨＣＯ３），Ｂ：ＡＣＮ］；Ｂ％：４０％〜７０％，３ｍｉｎの条件下で目的の化合物Ｃ−６８を得た。
特性データ：ＬＣＭＳ  ｍ／ｚ：４７７．１［Ｍ＋Ｈ］。
１Ｈ  ＮＭＲ（４００ＭＨｚ，ＤＭＳＯ−ｄ６）：δ８．３５（ｂｒｓ，２Ｈ），７．５４（ｓ，１Ｈ），７．４４（ｓ，１Ｈ），７．３９（ｄｄ，Ｊ＝５．７，８．７Ｈｚ，２Ｈ），７．１８（ｔ，Ｊ＝８．８Ｈｚ，２Ｈ），４．７０（ｓ，２Ｈ），３．７２−３．６６（ｍ，２Ｈ），３．５０（ｄｄ，Ｊ＝３．８，５．６Ｈｚ，２Ｈ），３．２５（ｓ，３Ｈ），２．４８（ｓ，３Ｈ）．
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
ＴＩＭＰ２に結合するモノクローナル抗体であって、
（ｉ）配列ＮＨＲＹＱＭＧＣＥＣＫＩ（配列番号２１）を有するペプチドへの結合をめぐって、配列番号８のアミノ酸配列を含む重鎖可変領域配列および配列番号７のアミノ酸配列を含む軽鎖可変領域配列を含む抗体と競合する；または
（ｉｉ）配列ＰＷＤＴＬＳＴＴＱＫＫ（配列番号４４）を有するペプチドへの結合をめぐって、配列番号３１のアミノ酸配列を含む重鎖可変領域配列および配列番号３０のアミノ酸配列を含む軽鎖可変領域配列を含む抗体と競合する；
モノクローナル抗体。
【請求項２】
配列ＮＨＲＹＱＭＧＣＥＣＫＩ（配列番号２１）に結合するかまたは配列ＰＷＤＴＬＳＴＴＱＫＫ（配列番号４４）に結合する、モノクローナル抗体。
【請求項３】
配列ＮＨＲＹＱＭＧＣＥＣＫＩ（配列番号２１）、ＨＰＱＱＡＦＣＮＡ（配列番号２２）およびＲＳＤＧＳＣＡＷＹＲ（配列番号２３）に結合する、請求項１または２に記載のモノクローナル抗体。
【請求項４】
（ｉ）配列番号７に記載されるアミノ酸配列、またはそれと少なくとも９０％同一であるアミノ酸配列、を含む軽鎖可変領域の３つの相補性決定領域（ＣＤＲ）と、配列番号８に記載されるアミノ酸配列、またはそれと少なくとも９０％同一であるアミノ酸配列、を含む重鎖可変領域の３つのＣＤＲと、を含む；または
（ｉｉ）配列番号３０に記載されるアミノ酸配列、またはそれと少なくとも９０％同一であるアミノ酸配列、を含む軽鎖可変領域の３つのＣＤＲと、配列番号３１に記載されるアミノ酸配列、またはそれと少なくとも９０％同一であるアミノ酸配列、を含む重鎖可変領域の３つのＣＤＲと、を含む；
請求項１〜３のいずれか１項に記載のモノクローナル抗体。
【請求項５】
（ｉ）配列番号１に記載されるアミノ酸配列を含む軽鎖可変領域ＣＤＲ１と、配列番号２に記載されるアミノ酸配列を含む軽鎖可変領域ＣＤＲ２と、配列番号３に記載されるアミノ酸配列を含む軽鎖可変領域ＣＤＲ３と、配列番号４に記載されるアミノ酸配列を含む重鎖可変領域ＣＤＲ１と、配列番号５に記載されるアミノ酸配列を含む重鎖可変領域ＣＤＲ２と、配列番号６に記載されるアミノ酸配列を含む重鎖可変領域ＣＤＲ３と、を含む；または
（ｉｉ）配列番号２４に記載されるアミノ酸配列を含む軽鎖可変領域ＣＤＲ１と、配列番号２５に記載されるアミノ酸配列を含む軽鎖可変領域ＣＤＲ２と、配列番号２６に記載されるアミノ酸配列を含む軽鎖可変領域ＣＤＲ３と、配列番号２７に記載されるアミノ酸配列を含む重鎖可変領域ＣＤＲ１と、配列番号２８に記載されるアミノ酸配列を含む重鎖可変領域ＣＤＲ２と、配列番号２９に記載されるアミノ酸配列を含む重鎖可変領域ＣＤＲ３と、を含む；
請求項４に記載のモノクローナル抗体。
【請求項６】
（ｉ）配列番号７に記載されるアミノ酸配列を含む軽鎖可変領域配列と、配列番号８に記載されるアミノ酸配列を含む重鎖可変領域配列と、を含む；または
（ｉｉ）配列番号３０に記載されるアミノ酸配列を含む軽鎖可変領域配列と、配列番号３１に記載されるアミノ酸配列を含む重鎖可変領域配列と、を含む；
請求項５に記載のモノクローナル抗体。
【請求項７】
（ｉ）配列番号１６に記載されるアミノ酸配列を含む軽鎖と、配列番号１０に記載されるアミノ酸配列を含む重鎖と、を含む；または
（ｉｉ）配列番号３９に記載されるアミノ酸配列を含む軽鎖と、配列番号３３に記載されるアミノ酸配列を含む重鎖と、を含む；
請求項６に記載のモノクローナル抗体。
【請求項８】
ウサギ抗体である、請求項１〜７のいずれか１項に記載のモノクローナル抗体。
【請求項９】
シグナル発生エレメントにコンジュゲートされている、請求項１〜８のいずれか１項に記載のモノクローナル抗体。
【請求項１０】
固体支持体に固定されている、請求項１〜８のいずれか１項に記載のモノクローナル抗体。
【請求項１１】
請求項１〜８のいずれか１項に記載の第１のモノクローナル抗体を含む、キットであって、ヒトＴＩＭＰ−２に結合する第２のモノクローナル抗体をさらに含み、前記第１の抗体および前記第２の抗体がヒトＴＩＭＰ−２とサンドイッチ複合体を形成する、キット。
【請求項１２】
前記第１の抗体が配列ＮＨＲＹＱＭＧＣＥＣＫＩ（配列番号２１）に結合し、前記第２の抗体が配列ＰＷＤＴＬＳＴＴＱＫＫ（配列番号４４）に結合する、請求項１１に記載のキット。
【請求項１３】
生体試料中のヒトＴＩＭＰ−２の存在または量に関連する検出可能なシグナルを発生させるよう構成された使い捨てのラテラルフロー試験デバイスをさらに含む、請求項１１または１２に記載のキットであって、
前記第１の抗体または前記第２の抗体のうちの一方が、前記使い捨ての試験デバイス内の表面に固定されており、前記第１の抗体または前記第２の抗体のうちの他方が、検出可能に標識されている、
キット。
【請求項１４】
生体試料中のヒトＴＩＭＰ２の存在または量を決定するための方法であって、
ヒトＴＩＭＰ２とのサンドイッチ複合体を一緒に形成する第１のモノクローナル抗体および第２のモノクローナル抗体を用いて、前記生体試料に対してインビトロイムノアッセイを実施するステップであって、前記イムノアッセイが、前記サンドイッチ複合体において結合している前記生体試料中のヒトＴＩＭＰ２の存在または量に関連する検出可能なシグナルを提供する、ステップと；
前記検出可能なシグナルを前記生体試料中のヒトＴＩＭＰ２の存在または量に関連付けるステップ
とを含み、
前記第１のモノクローナル抗体が、請求項１〜８の何れか１項に記載の抗体である、方法。
【請求項１５】
前記イムノアッセイにおけるＴＩＭＰ−２の検出可能な最小濃度が、１０ｎｇ／ｍＬ以下である、請求項１４に記載の方法。
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
類表皮腫ＮＳＣＬＣ、腺癌ＮＳＣＬＣ、大細胞ＮＳＣＬＣ、扁平上皮細胞癌ＮＳＣＬＣ、多形性細胞癌ＮＳＣＬＣ、及び神経内分泌ＮＳＣＬＣからなる群から選択される肺癌に作用された患者における肺癌を予防又は処置する為のヒトＡＭＨＲＩＩ結合性剤。
【請求項２】
モノクロナール抗ＡＭＨＲＩＩ抗体及びそのＡＭＨＲＩＩ結合性フラグメントからなる群から選択される、請求項１に記載のヒトＡＭＨＲＩＩ結合性剤。
【請求項３】
下記の抗体からなる群から選択されるモノクロナール抗体である、請求項１又は２に記載のヒトＡＭＨＲＩＩ結合性剤：
ａ）配列番号２を含む軽鎖及び配列番号４を含む重鎖（リーダーを有さない３Ｃ２３  ＶＬ及びＶＨ配列）；
ｂ）配列番号６を含む軽鎖及び配列番号８を含む重鎖（リーダーを有さない３Ｃ２３Ｋ  ＶＬ及びＶＨ配列）；
ｃ）配列番号１０を含む軽鎖及び配列番号１２を含む重鎖（リーダーを有さない３Ｃ２３軽鎖及び重鎖）；
ｄ）配列番号１４を含む軽鎖及び配列番号１６を含む重鎖（リーダーを有さない３Ｃ２３Ｋ軽鎖及び重鎖）。
【請求項４】
下記の配列を含む複数のＣＤＲを含むモノクロナール抗体である、請求項１に記載のヒトＡＭＨＲＩＩ結合性剤：
ＣＤＲＬ−１：ＲＡＳＸ１Ｘ２ＶＸ３Ｘ４Ｘ５Ａ、ここで、Ｘ１及びＸ２は独立してＳ又はＰであり、Ｘ３はＲ又はＷ又はＧであり、Ｘ４はＴ又はＤであり、Ｘ５はＩ又はＴである；
ＣＤＲＬ−２は、ＰＴＳＳＬＸ６Ｓであり、ここで、Ｘ６はＫ又はＥである；並びに、
ＣＤＲＬ−３は、ＬＱＷＳＳＹＰＷＴである；
ＣＤＲＨ−１は、ＫＡＳＧＹＸ７ＦＴＸ８Ｘ９ＨＩＨであり、ここで、Ｘ７はＳ又はＴであり、Ｘ８はＳ又はＧであり、及びＸ９はＹ又はＮである；
ＣＤＲＨ−２は、ＷＩＹＰＸ１０ＤＤＳＴＫＹＳＱＫＦＱＧであり、ここで、ＸwはＧ又はＥである  、並びに、
ＣＤＲＨ−３は、ＧＤＲＦＡＹである。
【請求項５】
上記結合性剤が、抗体薬物コンジュゲート（ＡＤＣ）からなる、請求項１〜４のいずれか１項に記載のヒトＡＭＨＲＩＩ結合性剤。
【請求項６】
ＡＭＨＲＩＩ結合性の操作された受容体である、請求項１に記載のヒトＡＭＨＲＩＩ結合性剤。
【請求項７】
ＡＭＨＲＩＩ結合性の操作された受容体を発現する細胞である、請求項１に記載のヒトＡＭＨＲＩＩ結合性剤。
【請求項８】
ＡＭＨＲＩＩ結合性の操作された受容体を発現する、ＣＡＲ  Ｔ細胞、ＣＡＲ  ＮＫ細胞又はＣＡＲマクロファージである、請求項７に記載のヒトＡＭＨＲＩＩ結合性剤。
【請求項９】
前記ヒトＡＭＨＲＩＩ結合性剤が、１以上の別個の抗癌剤と組み合わされている、請求項１〜８のいずれか１項に記載のヒトＡＭＨＲＩＩ結合性剤。
【請求項１０】
肺癌に作用された個体が、請求項１〜８のいずれか１項に記載のＡＭＨＲＩＩ結合性剤での癌処置に応答性であるかを判断する方法であって、上記個体から予め得られた腫瘍組織サンプルが、細胞表面においてＡＭＨＲＩＩタンパク質を発現するかを決定する工程を含む上記方法。
【手続補正２】
【補正対象書類名】明細書
【補正対象項目名】００２４
【補正方法】変更
【補正の内容】
【００２４】
本発明者等は、ＡＭＨＲＩＩ受容体が、非小細胞肺癌組織、特に類表皮腫（epidermoid）ＮＳＣＬＣ、腺癌（adenocarcinoma）ＮＳＣＬＣ、大細胞（large cells）ＮＳＣＬＣ、多形性細胞癌（pleiomorphic  cell  carcinoma）ＮＳＣＬＣ、扁平上皮細胞癌（squamous  cell  carcinoma）ＮＳＣＬＣ、及び神経内分泌（neuroendocrine）ＮＳＣＬＣのサブタイプ、の細胞膜において発現していることを思いがけずに明らかにした。反対に、ＡＭＨＲＩＩは、ＳＣＬＣ又は神経内分泌若しくは腺房サブタイプに由来するＮＳＣＬＣにおいて膜レベルで検出されなかった。
【手続補正３】
【補正対象書類名】明細書
【補正対象項目名】０３４７
【補正方法】変更
【補正の内容】
【０３４７】
実施例５：ＡＭＨＲＩＩ発現性の肺癌に対する抗ＡＭＨＲＩＩ抗体のイン・ビボ（ｉｎ  ｖｉｖｏ）での有効性
Ａ．材料及び方法
Ａ．１．組織免疫化学によるＡＭＨＲＩＩ膜発現
間接的免疫蛍光検査法が、従ってＡｌｅｘａ  Ｆｌｕｏｒ（登録商標）４８８にコンジュゲートした抗ＡＭＨＲＩＩ３Ｃ２３Ｋ抗体を用いて開発された。次にウサギ抗ＡＦ４８８抗体、及びＡｌｅｘａ  Ｆｌｕｏｒ（登録商標）６４７にコンジュゲートしたヤギ抗ウサギ抗体を用いて、シグナル増幅が２工程で実施された。
【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
カプセルであって、
ａ）前記カプセルの少なくとも７０重量％の量のプルラン；
ｂ）前記カプセルの少なくとも０．０１重量％の量の凝固系；
ｃ）スクログリセリド若しくは糖脂肪酸エステル又はこれらの混合物を含む界面活性剤
を含み、前記重量％の量は前記カプセル中に存在する水を除外する、カプセル。
【請求項２】
カプセルであって、
ａ）前記カプセルの少なくとも７０重量％の量のプルラン；
ｂ）前記カプセルの少なくとも０．０１重量％の量の凝固系；
ｃ）前記カプセルの少なくとも０．２重量％の量のスクログリセリド、糖脂肪酸エステル、及びこれらの混合物からなる群から選択される界面活性剤
から本質的になり、前記重量％の量は前記カプセル中に存在する水を除外する、カプセル。
【請求項３】
前記プルランがオーガニック発酵工程を使用して製造される、請求項１又は２に記載のカプセル。
【請求項４】
前記糖脂肪酸エステルが、グルコース、フルクトース、ガラクトース、スクロース、マルトース、トレハロース、ラクトース及びラフィノースからなる群から選択される糖ヘッド基を含む、請求項１〜３のいずれかに記載のカプセル。
【請求項５】
前記スクログリセリド又は前記糖脂肪酸エステルが、やし油、パーム油、パーム核油、大豆油、なたね油、ひまわり油、綿実油、ピーナッツ油、オリーブ油、キャノーラ油、ヒマシ油、とうもろこし油、アマニ油、サフラワー油及びゴマ油からなる群から選択される植物油の脂肪酸エステルに由来する親油性基を含む、請求項１〜４のいずれかに記載のカプセル。
【請求項６】
前記界面活性剤がスクロース脂肪酸エステルである、請求項１〜５のいずれかに記載のカプセル。
【請求項７】
前記界面活性剤がスクログリセリドである、請求項１〜５のいずれかに記載のカプセル。
【請求項８】
前記界面活性剤がやし油の脂肪酸に由来する、請求項６又は７に記載のカプセル。
【請求項９】
前記界面活性剤がスクロースココエートである、請求項１〜５のいずれかに記載のカプセル。
【請求項１０】
前記界面活性剤が、組成物の０．２重量％〜２重量％、又はカプセル組成物の０．４重量％〜１．５重量％、又はカプセル組成物の０．５重量％〜１重量％の量（水を除外する）で存在する、請求項１〜９のいずれかに記載のカプセル。
【請求項１１】
少なくとも１種の金属イオン封鎖剤をさらに含む、請求項１〜１０のいずれかに記載のカプセル。
【請求項１２】
可塑剤又は／及び着香剤をさらに含む、請求項１〜１１のいずれかに記載のカプセル。
【請求項１３】
組成物の重量に対して約０％〜１０％の範囲の着色剤をさらに含む、請求項１〜１２のいずれかに記載のカプセル。
【請求項１４】
コーティングを含む、請求項１〜１３のいずれかに記載のカプセル。
【請求項１５】
請求項１〜１４のいずれかに記載のカプセル中に封入されているカプレット。
【請求項１６】
請求項１〜１４のいずれかに記載のカプセルを製造する方法であって、
ａ）プルラン、前記凝固系及び前記界面活性剤を含む水性浸漬組成物を準備するステップ；
ｂ）金型ピンを前記水性浸漬組成物に浸漬するステップ；
ｃ）前記金型ピンのそれぞれを覆ってフィルムが形成されるように、前記水性浸漬組成物から前記金型ピンを引き出すステップ；
ｄ）前記フィルムを乾燥して前記金型ピンに固体コーティングを形成するステップ；
ｅ）前記金型ピンから前記固体コーティングを除去してカプセル殻を得るステップ
を含む方法。
【請求項１７】
前記金型ピンがレシチン及び植物油の混合物から選択される滑剤を用いて潤滑される、請求項１６に記載の方法。
【請求項１８】
前記固体コーティングがレシチン及び植物油の混合物から選択される滑剤を用いて潤滑される、請求項１６又は１７に記載の方法。
【請求項１９】
前記レシチンが、大豆レシチン、ピーナッツレシチン、綿実レシチン、ひまわりレシチン、なたねレシチン、とうもろこしレシチン及び落花生レシチンからなる群から選択され、好ましくはひまわりレシチンである、請求項１７又は１８に記載の方法。
【請求項２０】
前記植物油が、やし油、パーム油、パーム核油、大豆油、なたね油、ひまわり油、綿実油、ピーナッツ油、オリーブ油、キャノーラ油、ヒマシ油、とうもろこし油、アマニ油、サフラワー油及びゴマ油からなる群から選択される、請求項１７又は１８に記載の方法。
【請求項２１】
前記滑剤が、やし油及びひまわりレシチンの混合物を含む、請求項１７又は１８に記載の方法。
【請求項２２】
前記滑剤が、スクログリセリド又はスクログリセリドとレシチンの混合物を含む、請求項１７又は１８に記載の方法。
【請求項２３】
カプセルであって、
ａ）前記カプセルの少なくとも７０重量％の量のプルラン；
ｂ）前記カプセルの少なくとも０．０１重量％の量の凝固系；
ｃ）スクログリセリド又は糖脂肪酸エステル又はこれらの混合物を含む界面活性剤
を含み、前記重量％の量は前記カプセル中に存在する水を除外し、少なくとも２００ｍｇ／ｋｇ、又は少なくとも３００ｍｇ／ｋｇ、又はさらには少なくとも５００ｍｇ／ｋｇのＣａ２＋含有量を有する、カプセル。
【請求項２４】
少なくとも３０ｍｇ／ｋｇ、又は少なくとも４０ｍｇ／ｋｇ、又はさらには少なくとも５０ｍｇ／ｋｇのＭｇ２＋含有量を有する、請求項２３に記載のカプセル。
【請求項２５】
Ｋ＋／（Ｍｇ２＋＋Ｃａ２＋）の比が、５０未満、又は４０未満、又は３０未満、又はさらには２０未満である、請求項２３に記載のカプセル。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
自己抗原を含むペプチドまたはポリペプチドをコードする非免疫原性ＲＮＡを含み、前記非免疫原性ＲＮＡが、１−メチルプソイドウリジンの組み込みおよびｄｓＲＮＡの除去によって非免疫原性にされる、治療における使用のための医薬組成物。
【請求項２】
前記非免疫原性ＲＮＡが、投与されたとき、樹状細胞の活性化、Ｔ細胞の活性化および／またはＩＦＮ−αの分泌をもたらさない、請求項１に記載の使用のための医薬組成物。
【請求項３】
前記非免疫原性ＲＮＡがインビトロ転写ＲＮＡである、請求項１または２に記載の使用のための医薬組成物。
【請求項４】
前記自己抗原が自己免疫疾患に関連し、前記自己抗原が好ましくはＴ細胞抗原である、請求項１〜３のいずれか一項に記載の使用のための医薬組成物。
【請求項５】
前記自己抗原がミエリン抗原であり、前記自己抗原が好ましくはミエリンオリゴデンドロサイト糖タンパク質（ＭＯＧ）またはミエリンオリゴデンドロサイト糖タンパク質（ＭＯＧ）のアミノ酸３５〜５５を含む断片である、請求項１〜４のいずれか一項に記載の使用のための医薬組成物。
【請求項６】
免疫抑制化合物または前記免疫抑制化合物をコードする非免疫原性ＲＮＡをさらに含み、
前記免疫抑制化合物が、トランスフォーミング成長因子ベータ（ＴＧＦ−β）、インターロイキン１０（ＩＬ−１０）、インターロイキン１受容体拮抗薬（ＩＬ−１ＲＡ）、インターロイキン４（ＩＬ−４）、インターロイキン２７（ＩＬ−２７）、インターロイキン３５（ＩＬ−３５）、プログラム死リガンド１（ＰＤ−Ｌ１）、誘導性Ｔ細胞共刺激リガンド（ＩＣＯＳＬ）、Ｂ７−Ｈ４、ＣＤ３９、ＣＤ７３、ＦＡＳ、ＦＡＳ−ＩＬ、インドールアミン２，３−ジオキシゲナーゼ１（ＩＤＯ１）、インドールアミン２，３−ジオキシゲナーゼ２（ＩＤＯ２）、アセトアルデヒドデヒドロゲナーゼ１（ＡＬＤＨ１）／レチナールアルデヒドデヒドロゲナーゼ（ＲＡＬＤＨ）、アルギナーゼ１（ＡＲＧ１）、アルギナーゼ２（ＡＲＧ２）、亜酸化窒素シンターゼ（ＮＯＳ２）、ガレクチン−１、ガレクチン−９、セマフォリン４Ａからなる群より選択される、請求項１〜５のいずれか一項に記載の使用のための医薬組成物。
【請求項７】
前記治療が自己免疫疾患の治療または予防を含む、請求項１〜５のいずれか一項に記載の使用のための医薬組成物。
【請求項８】
前記治療が、自己反応性Ｔ細胞に対する寛容を誘導することを含む、請求項７に記載の使用のための医薬組成物。
【請求項９】
前記自己免疫疾患がＴ細胞媒介性自己免疫疾患である、請求項７に記載の使用のための医薬組成物。
【請求項１０】
前記自己免疫疾患がＣＮＳの自己免疫疾患である、請求項７に記載の使用のための医薬組成物。
【請求項１１】
前記自己免疫疾患が多発性硬化症である、請求項７に記載の使用のための医薬組成物。
【請求項１２】
前記非免疫原性ＲＮＡが、投与されたとき、樹状細胞の活性化、Ｔ細胞の活性化、および／またはＩＦＮ−αの分泌をもたらさない、請求項７〜１１のいずれか一項に記載の使用のための医薬組成物。
【請求項１３】
前記修飾ヌクレオチドが、自然免疫受容体のＲＮＡ媒介性活性化を抑制する、請求項７〜１２のいずれか一項に記載の使用のための医薬組成物。
【請求項１４】
前記治療が、治療される被験体に、免疫抑制化合物または前記免疫抑制化合物をコードする非免疫原性ＲＮＡを提供することを含み、
前記免疫抑制化合物が、トランスフォーミング成長因子ベータ（ＴＧＦ−β）、インターロイキン１０（ＩＬ−１０）、インターロイキン１受容体拮抗薬（ＩＬ−１ＲＡ）、インターロイキン４（ＩＬ−４）、インターロイキン２７（ＩＬ−２７）、インターロイキン３５（ＩＬ−３５）、プログラム死リガンド１（ＰＤ−Ｌ１）、誘導性Ｔ細胞共刺激リガンド（ＩＣＯＳＬ）、Ｂ７−Ｈ４、ＣＤ３９、ＣＤ７３、ＦＡＳ、ＦＡＳ−ＩＬ、インドールアミン２，３−ジオキシゲナーゼ１（ＩＤＯ１）、インドールアミン２，３−ジオキシゲナーゼ２（ＩＤＯ２）、アセトアルデヒドデヒドロゲナーゼ１（ＡＬＤＨ１）／レチナールアルデヒドデヒドロゲナーゼ（ＲＡＬＤＨ）、アルギナーゼ１（ＡＲＧ１）、アルギナーゼ２（ＡＲＧ２）、亜酸化窒素シンターゼ（ＮＯＳ２）、ガレクチン−１、ガレクチン−９、セマフォリン４Ａからなる群より選択される、請求項７〜１３のいずれか一項に記載の使用のための医薬組成物。
【誤訳訂正書】
【提出日】令和3年1月25日(2021.1.25)
【誤訳訂正１】
【訂正対象書類名】明細書
【訂正対象項目名】００２６
【訂正方法】変更
【訂正の内容】
【００２６】
蛍光化合物は、蛍光色素であり得る。本開示の蛍光色素は、その吸収波長、励起波長、及び発光波長の全てが、約３５０ｎｍまたはそれ以上の近赤外（ＮＩＲ）または可視光のスペクトル範囲内に収まる傾向がある。このことは、診断処置に有益である。可視光及びＮＩＲ光は組織を損傷する恐れが低いためである。約３５０ｎｍまたはそれ以上の波長を有する光は、組織に浸透する傾向があり、これにより、約３５０ｎｍ未満のＵＶ波長を使用した場合には到達できない可能性がある関心組織において診断処置を実施することが可能になる。適切な蛍光染料としては、アクリジン、アクリドン、アントラセン、アントラサイクリン、アントラキノン、アザアズレン、アゾアズレン、ベンゼン、ベンゾイミダゾール、ベンゾフラン、ベンゾインドカルボシアニン、ベンゾインドール、ベンゾチオフェン、カルバゾール、クマリン、シアニン、ジベンゾフラン、ジベンゾチオフェン、ジピロロ染料、フラボン、フルオレセイン、イミダゾール、インドカルボシアニン、インドシアニン、インドール、イソインドール、イソキノリン、ナフタセンジオン、ナフタレン、ナフトキノン、フェナントレン、フェナントリジン、フェナントリジン、フェノセレナジン、フェノチアジン、フェノキサジン、フェニルキサンテン、ポリフルオロベンゼン、プリン、ピラジン、ピラゾール、ピリジン、ピリミドン、ピロール、量子ドット、キノリン、キノロン、ローダミン、スクアライン、テトラセン、チオフェン、トリフェニルメタン染料、キサンテン、キサントン、及びそれらの誘導体が挙げられる。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
式(I):
【化１】
2020516619.tif 000001
式中、Rは、直鎖または分枝鎖C3-C20アルキル、直鎖または分枝鎖C3-C20アルケニル、C3-C20アルキニル、C3-C20シクロアルキル、C6-C10アリール、C3-C20ヘテロシクリル、またはC5-C10ヘテロアリールである、
の化合物またはその塩の調製プロセスであって、
式(III):
【化２】
2020516619.tif 000002
の化合物をPOCl3およびPO(OR5)3（式中、R5はC1-C6アルキルである）の混合物と反応させ、続いて水で処理して式(I)の化合物を形成する工程を含む、調製プロセス。
【請求項２】
Rが直鎖C3-C20アルキルまたは分枝鎖C3-C20アルキルである請求項１のプロセス。
【請求項３】
式(III)の化合物が、式(II):
【化３】
2020516619.tif 000003
式中、R’はメチルまたはエチルである、
の化合物を塩基存在下、溶媒中で式ROHの化合物と反応させて式(III)の化合物を形成することによって調製される請求項１のプロセス。
【請求項４】
式(III)の化合物が、ニコチネートエステル(IV):
【化４】
2020516619.tif 000004
式中、Rは分枝鎖C3-C20アルキルである、
を1,2,3,4-テトラ-O-アセチル-D-リボフラノースと反応させて式(V):
【化５】
2020516619.tif 000005
の化合物を提供し、そして式(V)の化合物を塩基と反応させて式(III)の化合物を形成することによって調製される請求項１のプロセス。
【請求項５】
式(I):
【化６】
2020516619.tif 000006
式中、Rは直鎖または分枝鎖C3-C20アルキル、直鎖または分枝鎖C2-C20アルケニル、C2-C20アルキニル、C3-C20シクロアルキル、C6-C10アリール、C3-C20ヘテロシクリル、またはC5-C10ヘテロアリールである、
の化合物またはその塩。
【請求項６】
Rがn-プロピル、n-ブチル、n-ペンチル、n-ヘキシル、n-ヘプチル、n-オクチル、2,2-ジメチルプロピル、3-メチルブチル、イソプロピル、1,1-ジメチルプロピル、またはt-ブチルである請求項５の化合物または塩。
【請求項７】
請求項５または６の化合物または塩および薬学的に受容可能な担体を含有する医薬組成物。
【請求項８】
請求項５または６の化合物または塩を含有する栄養補助組成物。
【請求項９】
請求項５または６の化合物または塩を含む細胞NAD+産生を増加させるための医薬製剤であって、該細胞が哺乳動物中のものであり、該化合物が、代謝系の機能の促進、筋肉機能または回復の促進、聴覚系の機能の促進、または認知機能の促進に有効であり、および該細胞が、脂質疾患、代謝機能不全、心血管疾患、CNSまたはPNS外傷、神経変性疾患または状態、または聴力損失を有する哺乳動物中のもの、または毒物に曝露された哺乳動物中のものである、医薬製剤。
【請求項１０】
請求項５または６の化合物または塩を含む細胞中のミトコンドリア密度を改善するための医薬製剤であって、該細胞が哺乳動物中のものであり、該化合物が、代謝系の機能の促進、筋肉機能または回復の促進、聴覚系の機能の促進、または認知機能の促進に有効であり、および該細胞が、脂質疾患、代謝機能不全、心血管疾患、CNSまたはPNS外傷、神経変性疾患または状態、または聴力損失を有する哺乳動物中のもの、または毒物に曝露された哺乳動物中のものである、医薬製剤。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
触媒の存在下でニトロ芳香族化合物を一酸化炭素と反応させることによる前記ニトロ芳香族化合物の直接カルボニル化によって芳香族イソシアネートを調製するための方法であって、前記触媒は、一般式ＡｘＢｙ（式中、
Ａは、Ｎｉ、Ｒｕ、Ｒｈ、Ｐｄ、Ｉｒ、Ｐｔ及びＡｇから選択される１種以上の元素であり、
Ｂは、Ｓｎ、Ｓｂ、Ｐｂ、Ｚｎ、Ｇａ、Ｉｎ、Ｇｅ及びＡｓから選択される１種以上の元素であり、
ｘは、０．１〜１０の範囲内であり、
ｙは、０．１〜１０の範囲内である）
の１つ以上の二元金属間相を含む多金属材料を含有することを特徴とする、方法。
【請求項２】
Ａは、Ｎｉ、Ｒｈ、Ｐｄ、Ｉｒ及びＰｔから選択される１種以上の元素であり、
Ｂは、Ｓｎ、Ｓｂ、Ｐｂ、Ｇａ及びＩｎから選択される１種以上の元素であることを特徴とする、請求項１に記載の方法。
【請求項３】
Ａは、Ｒｈであり、
Ｂは、Ｐｂ、Ｓｎ及びＳｂから選択される１種以上の元素であることを特徴とする、請求項２に記載の方法。
【請求項４】
前記多金属材料は、１種以上の成分Ｃを含み、成分Ｃは、金属間相ＡｘＢｙの一部ではないＡ又はＢを含有するか、又はそれからなることを特徴とする、請求項１〜３のいずれか１項に記載の方法。
【請求項５】
前記多金属材料は、１種以上の成分Ｃを含み、成分Ｃは、Ｏ、Ｎ、Ｃ、Ｈ、Ｍｇ、Ｃａ、Ｍｎ、Ｆｅ、Ｃｏ、Ｎｉ、Ｚｎ、及びＧａから選択される１種以上の元素を含有するか、又はそれらからなることを特徴とする、請求項１〜４のいずれか１項に記載の方法。
【請求項６】
前記多金属材料は、担体材料に堆積していることを特徴とする、請求項１〜５のいずれか１項に記載の方法。
【請求項７】
前記ニトロ芳香族化合物は、ニトロベンゼン、ジニトロベンゼン、ニトロトルエン、ジニトロトルエン、トリニトロトルエン、ニトロナフタリン、ニトロアントラセン、ニトロジフェニル、ビス（ニトロフェニル）メタン及びさらに１つ以上のニトロ基を有する単及び多芳香族化合物から選択されることを特徴とする、請求項１〜６のいずれか１項に記載の方法。
【請求項８】
非連続的に行われることを特徴とする、請求項１〜７のいずれか１項に記載の方法。
【請求項９】
連続的に行われることを特徴とする、請求項１〜７のいずれか１項に記載の方法。
【請求項１０】
ニトロ芳香族化合物を対応する芳香族イソシアネートに直接カルボニル化するための触媒であって、一般式ＡｘＢｙ（式中、
Ａは、Ｎｉ、Ｒｕ、Ｒｈ、Ｐｄ、Ｉｒ、Ｐｔ及びＡｇから選択される１種以上の元素であり、
Ｂは、Ｓｎ、Ｓｂ、Ｐｂ、Ｚｎ、Ｇａ、Ｉｎ、Ｇｅ及びＡｓから選択される１種以上の元素であり、
ｘは、０．１〜１０の範囲内であり、
ｙは、０．１〜１０の範囲内である）
の１つ以上の二元金属間相を含む多金属材料を含有する、触媒。
【請求項１１】
Ａは、Ｎｉ、Ｒｈ、Ｐｄ、Ｉｒ及びＰｔから選択される１種以上の元素であり、
Ｂは、Ｓｎ、Ｓｂ、Ｐｂ、Ｇａ及びＩｎから選択される１種以上の元素であることを特徴とする、請求項１０に記載の触媒。
【請求項１２】
Ａは、Ｒｈであり、
Ｂは、Ｐｂ、Ｓｎ及びＳｂから選択される１種以上の元素であることを特徴とする、請求項１１に記載の触媒。
【請求項１３】
前記多金属材料は、１種以上の成分Ｃを含み、成分Ｃは、金属間化合物ＡｘＢｙの一部ではないＡ又はＢを含有するか、又はそれからなることを特徴とする、請求項１０〜１２のいずれか１項に記載の触媒。
【請求項１４】
前記多金属材料は、１種以上の成分Ｃを含み、成分Ｃは、Ｏ、Ｎ、Ｃ、Ｈ、Ｌｉ、Ｎａ、Ｋ、Ｒｂ、Ｃｓ、Ｍｇ、Ｃａ、Ｓｒ、Ｂａ、Ｔｉ、Ｍｎ、Ｆｅ、Ｃｏ、Ｎｉ、Ｚｎ、及びＧａから選択される１種以上の元素を含有するか、又はそれからなることを特徴とする、請求項１０〜１３のいずれか１項に記載の触媒。
【請求項１５】
前記多金属材料は、ＲｈＰｂ、ＲｈＰｂ２、Ｒｈ４Ｐｂ５、Ｒｈ２Ｓｎ、ＲｈＳｎ、ＲｈＳｎ２、ＲｈＳｎ４、Ｒｈ２Ｓｂ、ＲｈＳｂ、ＲｈＳｂ２、ＲｈＳｂ３、ＲｈＧａ、Ｒｈ１０Ｇａ１７、Ｒｈ３Ｇａ５、Ｒｈ２Ｇａ９、Ｒｈ４Ｇａ２１、Ｒｈ３Ｇａ１６、ＲｈＧａ３、ＲｈＩｎ、ＲｈＩｎ３、Ｒｈ５Ｇｅ３、Ｒｈ２Ｇｅ、ＲｈＧｅ、Ｒｈ１７Ｇｅ２２、ＲｈＧｅ４、ＩｒＰｂ、ＩｒＳｎ、Ｉｒ５Ｓｎ７、ＩｒＳｎ２、Ｉｒ３Ｓｎ７、ＩｒＳｎ４、ＩｒＳｎ、Ｉｒ５Ｓｎ７、ＩｒＳｎ２、Ｉｒ３Ｓｎ７、ＩｒＳｎ４、Ｐｄ３Ｐｂ、Ｐｄ１３Ｐｂ９、Ｐｄ５Ｐｂ３、ＰｄＰｂ、Ｐｄ３Ｓｎ、Ｐｄ２０Ｓｎ１３、Ｐｄ２Ｓｎ、ＰｄＳｎ、Ｐｄ５Ｓｎ７、ＰｄＳｎ２、ＰｄＳｎ３、ＰｄＳｎ４、Ｐｄ３Ｓｂ、Ｐｄ２０Ｓｂ７、Ｐｄ５Ｓｂ２、Ｐｄ８Ｓｂ３、Ｐｄ２Ｓｂ、ＰｄＳｂ、ＰｄＳｂ２、Ｐｄ２Ｇａ、Ｐｄ５Ｇａ２、Ｐｄ５Ｇａ３、ＰｄＧａ、ＰｄＧａ５、Ｐｄ７Ｇａ３、Ｒｕ２Ｓｎ３、ＲｕＳｎ２、Ｒｕ３Ｓｎ７、ＲｕＳｂ、ＲｕＳｂ２、ＲｕＳｂ３、ＮｉＰｂ、Ｎｉ３Ｓｎ４、Ｎｉ３Ｓｎ２、Ｎｉ３Ｓｎ、ＮｉＳｎ、Ｎｉ５Ｓｂ２、Ｎｉ３Ｓｂ、ＮｉＳｂ２及びＮｉＳｂ３から選択される１つ以上の二元金属間結晶相を含むことを特徴とする、請求項１０〜１４のいずれか１項に記載の触媒。
【請求項１６】
前記多金属材料は、ＲｈＰｂ、ＲｈＰｂ２、ＲｈＳｂ、Ｒｈ２Ｓｂ、ＲｈＳｂ２及びＲｈ２Ｓｎから選択される１つ以上の二元金属間結晶相を含むことを特徴とする、請求項１５に記載の触媒。
【請求項１７】
前記多金属材料は、担体材料に堆積していることを特徴とする、請求項１０〜１６のいずれか１項に記載の触媒。
【請求項１８】
請求項１７で定義された触媒を製造するための方法であって、工程（ｉ）〜（ｉｖ）：
（ｉ）元素Ａ及びＢのための１つ以上の前駆体及び任意に成分Ｃを好ましくは溶液の形態で提供すること；
（ｉｉ）前記金属前駆体の担体材料上への堆積；
（ｉｉｉ）複合材料の還元処理；
（ｉｖ）前記複合材料の熱処理、
を含む、方法。
【請求項１９】
前記溶液は、水、アルコール、ポリオール、酸及び塩基から選択される１種以上の溶媒を含む、請求項１８に記載の方法。
【請求項２０】
（ｉｉｉ）前記金属前駆体を含有する前記担体材料を、アルコール、炭化水素、アミン、ポリオール、Ｚｎ粉末、Ｈ２、ＣＯ、ＣＨ４及びＣ２Ｈ４から選択される固体、液体又は気体形態の還元剤の１種以上と接触させる工程、及び
（ｉｖ）化学的に不活性な条件下での熱還元によって前記金属前駆体を含有する前記担体材料を還元する工程、
を含む、請求項１８又は１９に記載の方法。
【請求項２１】
工程（ｉｉｉ）及び（ｉｖ）は、単一工程で行われる、請求項１８〜２０のいずれか１項に記載の方法。